(57)【特許請求の範囲】
【請求項１】
本体（１１）の上面又は側面に空気吹出し口（１２）を設けた空気調和機であって、その空気吹出し口（１２）の形状を、その端部側部分（１２ｂ，１２ｂ）が中央側部分（１２ａ）より壁面に対してより遠くなるように弯曲して形成し、端部側部分（１２ｂ，１２ｂ）からの吹出し空気流（Ｓｂ，Ｓｂ）の方が中央側部分（１２ａ）からの吹出し空気流（Ｓａ）よりも壁面に対してより大きく離れるようにされていることを特徴とする空気調和機。
【請求項２】
本体（１１）の上面又は側面に空気吹出し口（１２）を設けた空気調和機であって、その空気吹出し口（１２）を中央側部分（１２ａ）と端部側部分（１２ｂ，１２ｂ）に分割し、さらにその端部側部分（１２ｂ，１２ｂ）が中央側部分（１２ａ）より壁面に対してより遠くなるように位置決めし、端部側部分（１２ｂ，１２ｂ）からの吹出し空気流（Ｓｂ，Ｓｂ）の方が中央側部分（１２ａ）からの吹出し空気流（Ｓａ）よりも壁面に対してより大きく離れるようにされていることを特徴とする空気調和機。
【請求項３】
本体（１１）の上面又は側面に空気吹出し口（１２）を設けるとともに該空気吹出し口（１２）に吹出し空気の吹出し角度を制御するフラップ（１４）を設けた空気調和機であって、前記フラップ（１４）は、その中央側部分（１４ａ）に対して端部側部分（１４ｂ），（１４ｂ）の方がひねり角度が大きくされており、それにより空気吹出し口（１２）を通って吹き出される吹出し空気流のうち、空気吹出し口（１２）の端部側部分（１２ｂ，１２ｂ）からの吹出し空気流（Ｓｂ，Ｓｂ）の方が空気吹出し口（１２）の中央側部分（１２ａ）からの吹出し空気流（Ｓａ）よりも壁面から遠い方向へ向けて吹き出されるようにされていることを特徴とする空気調和機。
【請求項４】
本体（１１）の側面に空気吹出し口（１２）を設けた空気調和機であって、その空気吹出し口（１２）の形状を、その端部側部分（１２ｂ，１２ｂ）が中央側部分（１２ａ）より天井面に対してより遠くなるように弯曲して形成し、端部側部分（１２ｂ，１２ｂ）からの吹出し空気流（Ｓｂ，Ｓｂ）の方が中央側部分（１２ａ）からの吹出し空気流（Ｓａ）よりも天井面に対してより大きく離れるようにされていることを特徴とする空気調和機。
【請求項５】
本体（１１）の側面に空気吹出し口（１２）を設けた空気調和機であって、その空気吹出し口（１２）を中央側部分（１２ａ）と端部側部分（１２ｂ，１２ｂ）に分割し、さらにその端部側部分（１２ｂ，１２ｂ）が中央側部分（１２ａ）より天井面に対してより遠くなるように位置決めし、端部側部分（１２ｂ，１２ｂ）からの吹出し空気流（Ｓｂ，Ｓｂ）の方が中央側部分（１２ａ）からの吹出し空気流（Ｓａ）よりも天井面に対してより大きく離れるようにされていることを特徴とする空気調和機。
【請求項６】
本体（１１）の側面に空気吹出し口（１２）を設けるとともに該空気吹出し口（１２）に吹出し空気の吹出し角度を制御するフラップ（１４）を設けた空気調和機であって、前記フラップ（１４）は、その中央側部分（１４ａ）に対して端部側部分（１４ｂ），（１４ｂ）の方がひねり角度が大きくされており、それにより空気吹出し口（１２）を通って吹き出される吹出し空気流のうち、空気吹出し口（１２）の端部側部分（１２ｂ，１２ｂ）からの吹出し空気流（Ｓｂ，Ｓｂ）の方が空気吹出し口（１２）の中央側部分（１２ａ）からの吹出し空気流（Ｓａ）よりも天井面から遠い方向へ向けて吹き出されるようにされていることを特徴とする空気調和機。
【発明の詳細な説明】
【０００２】
【発明の属する技術分野】
【０００３】
本願発明は、室内に設置される空気調和機に関し、さらに詳しくはその空気吹出し口の構造に関するものである。
【従来の技術】
【０００４】
室内に設置される空気調和機のうち、床置型や天井吊下げ型のように、室内の壁面や天井面に近接して設置されるものにおいては、長期間使用するうちに壁面や天井面に汚れが付着する現象がみられるようになる。
【０００５】
これを図７に示す空気調和機（床置型）を参照して説明すると、空気調和機１１０の空気吹出し口１１２から空気流Ｓが吹き出されると、その吹出し空気流Ｓとその背後にある壁面１との間（吹出口背後空間Ｃ）が負圧状態となり、その負圧に誘引される形で同吹出口背後空間に向かって誘引空気流Ｂが発生し、長期間の間に、吹出し空気流Ｓの背後に位置する壁面１に汚れＤが付着するものである。この場合、誘引空気流Ｂと壁面１との接触度が比較的大きい吹出し空気流Ｓの両端側部分Ｓｂ，Ｓｂ（すなわち、空気吹出し口の両端部側部分１１２ｂ，１１２ｂ）においてその現象が特に顕著にあらわれる。
【０００６】
この現象は、図８に示す天井吊下げ型空気調和機の場合でも同様で、空気調和機１１０の各空気吹出し口１１２の両端側部分に特に顕著に汚れＤが付着する。
【発明が解決しようとする課題】
【０００７】
本願発明は、上記のような問題を改善しようとしてなされたもので、室内に設置される空気調和機と壁面又は天井面との間に発生する誘引空気流と壁面又は天井面との接触度を低減し（特に空気吹出し口の両端部側において）、壁面又は天井面に付着する汚れを解消又は可及的に低減しようとするものである。
【課題を解決するための手段】
【０００８】
本願発明は、壁面又は天井面への汚れの付着が、吹出口背後空間への誘引空気流Ｂと壁面又は天井面との接触に基因するものであり、そして、同誘引空気流Ｂと壁面又は天井面との接触度が空気吹出し口の端部側部分において特に大きいことに着目し、吹出口背後空間への誘引空気流Ｂと壁面又は天井面との接触が、特に空気吹出し口の端部側部分において緩和されるようにすることを基本的思想とするものである。
【０００９】
その具体的方法の１つは、本体に形成される空気吹出し口の端部側部分を中央側部分よりも、壁面又は天井面に対して遠ざけるように湾曲させて、空気吹出し口の端部側部分において吹出口背後空間への誘引空気流Ｂと壁面又は天井面との接触を緩和することである。
【００１０】
さらに他の１つは、空気吹出し口からの吹出し空気流の吹出し角度を中央側部分からの吹出し空気流と端部側部分からの吹出し空気流とで変化をもたせ、端部側部分からの吹出し空気流の方が中央側部分からの吹出し空気流よりも壁面又は天井面に対する角度が大きくなるように吹出し角度を設定することである。
【００１１】
上記各方法のようにすれば、空気吹出し口の端部側部分において誘引空気流の流速が低下する一方、壁面又は天井面と端部側吹出流との離間により、誘引空気流と壁面又は天井面との接触度も緩和され、誘引空気流によってもたらされる壁面又は天井面の汚れ付着が軽減緩和される。
【発明の実施の形態】
【００１２】
続いて図１ないし図６を参照して、本願発明の好適な実施の形態を説明する。
【００１３】
図１に示す空気調和機１０は、床置き型の室内空気調和機１０で、その本体１１の前面に空気吸込み口１３、上方と側方に空気吹出し口１２を設けている。
【００１４】
この空気調和機１０は、空気吹出し口１２の両端側部分１２ｂ，１２ｂが中央側部分１２ａよりも壁面１から遠くなるように全体が湾曲して形成されており、その結果、吹出し空気流のうち、端部側吹出し流Ｓｂ，Ｓｂが中央側吹出し流Ｓａに比して壁面１から遠い位置から吹き出される。このため、吹出し空気流のうち、端部側吹出し流Ｓｂ，Ｓｂの後背部における負圧状態が緩和され、壁面１に対する汚れの付着が解消又は軽減される。
【００１５】
図２は、空気吹出し口を分割した変形例を示しており、分割されたそれぞれの空気吹出し口（中央側部分１２ａ、端部側部分１２ｂ，１２ｂ）に各別にフラップ１４ａ，１４ｂ，１４ｂが設けられている。
【００１６】
図３は、空気吹出し口１２の他の形状例を示している。
【００１７】
この図３の例では、空気吹出し口１２の中央側部分１２ａよりも端部側部分１２ｂ，１２ｂが壁１から離れるように前方に形成される点では図１の例と同じであるが、図３の例では空気吹出し口１２の中央側部分１２ａと端部側部分１２ｂ，１２ｂとがほぼ平行とされ、両者間を弧状部で連結させている。
【００１８】
図２及び図３の各空気調和機において、吹出し空気流のうちの端部側部分Ｓｂ，Ｓｂが壁面１から遠い位置から吹き出され、その結果、壁面１に対する汚れの付着が解消又は軽減される作用は、図１の空気調和機の場合と同様である。
【００１９】
図４に示す空気調和機１０は、空気吹出し口１２に設けられるフラップ１４の形状を改良することにより、吹出し空気流のうちの端部側部分Ｓｂ，Ｓｂを壁面１から遠い方向に吹き出させようとするものである。
【００２０】
すなわち、図４の空気調和機１０では、図５に例示するような変形フラップ１４を使用する。この変形フラップ１４は、その中央側部分１４ａに対して端部側部分１４ｂ，１４ｂの方がひねり角度が大きく空気吹出し口１２を通って吹き出される吹出し空気流のうち、端部側部分Ｓｂ，Ｓｂが中央側部分Ｓａよりも壁面１から遠い方向へ向けて吹き出されるようになっている。
【００２１】
図４、図５の例では、吹出し空気流のうち中央側部分Ｓａは壁面１に対して３０°、両方の端部側部分Ｓｂ，Ｓｂは壁面１に対して４５°の角度で吹き出すようにしている。
【００２２】
図６に示す空気調和機１０は、参考例として示したもので、長方形状の空気吹出し口１２に設けられるフラップを中央側部分１４ａと端部側部分１４ｂ，１４ｂに分割してそれぞれを各別に角度設定し得るようにし、フラップの端部側部分１４ｂ，１４ｂにおいては壁面１に対する吹出し角度が中央側部分１４ａの吹出し角度よりも大きくなるように設定するものである。この場合、各フラップ１４ａ，１４ｂ，１４ｂの角度は固定でも可変でもよい。
【００２３】
なお、本願発明を天井吊下げ型の空気調和機に適用する場合も、上記各実施の形態と同様の空気吹出し口構成とすることができ、その場合は、上記説明文中、「壁面」とあるのを「天井面」と読み替えれば、同説明文を天井吊下げ型の空気調和機についての説明文とすることができる。
【発明の効果】
【００２４】
本願発明は、上記の説明から明らかなように、空気調和機の吹出口背後空間への誘引空気流の発生を、特に空気吹出し口の端部側部分において解消又は緩和し、壁面又は天井面への汚れの付着を解消又は低減し得る効果がある。
【図面の簡単な説明】
【００２５】
【図１】本願発明の実施例にかかる空気調和機の斜視図である。
【図２】本願発明の他の実施例にかかる空気調和機の斜視図である。
【図３】本願発明の他の実施例にかかる空気調和機の斜視図である。
【図４】本願発明の他の実施例にかかる空気調和機の斜視図である。
【図５】図４に示す空気調和機で使用されているフラップの説明図である。
【図６】本願発明の参考例として示した空気調和機の斜視図である。
【図７】従来の床置型空気調和機における壁面の汚れ状態説明図である。
【図８】従来の天井吊下げ型空気調和機における天井面の汚れ状態説明図である。
【符号の説明】
【００２６】
１は壁面、３は天井面、１０は空気調和機、１１は本体、１２は空気吹出し口、１３は空気吸込み口、１４はフラップ、Ｂは誘引空気流、Ｃは吹出口背後空間、Ｄは汚れ、Ｓａは中央側吹出流、Ｓｂは端部側吹出流である。
【図１】
0003629699.tif 000002
【図２】
0003629699.tif 000003
【図３】
0003629699.tif 000004
【図４】
0003629699.tif 000005
【図５】
0003629699.tif 000006
【図６】
0003629699.tif 000007
【図７】
0003629699.tif 000008
【図８】
0003629699.tif 000009